(57)【要約】【課題】表示画面の小さい携帯端末に対しても、番組情報を的確に伝達できるマルチメディアコンテンツ生成装置を実現する。【解決手段】本発明によるマルチメディアコンテンツ生成装置（２）は、情報コンテンツ配信サーバ（３）にアクセスし、そのホームページを記述する第１のスクリプトを取得する手段（１１）と、取得した第１のスクリプトから、その中に含まれる情報コンテンツを記述する第２のスクリプトを抽出する手段（１２）と、第２のスクリプトを携帯端末の画面表示に適合した第３のスクリプトに変換する手段（１５）と、第３のスクリプトに含まれるテキスト情報を抽出する手段（１３）と、抽出したテキスト情報を音声ファイル化する手段（１４）とを具え、第３のスクリプトと音声ファイルとをマルチメディアコンテンツとして携帯端末（４）に配信する。【選択図】図２
2007081765.tif 000002
【特許請求の範囲】
【請求項１】
通信網に接続され、携帯端末装置向けのマルチメディアコンテンツを生成するマルチメディアコンテンツ生成装置であって、
情報コンテンツ配信サーバにアクセスし、そのホームページを記述する第１のスクリプトを取得する手段と、
取得した第１のスクリプトから、その中に含まれる情報コンテンツを記述する第２のスクリプトを抽出する手段と、
前記第２のスクリプトを携帯端末の画面表示に適合した第３のスクリプトに変換する手段と、
前記第３のスクリプトに含まれるテキスト情報を抽出する手段と、
抽出したテキスト情報を音声ファイル化する手段とを具え、
前記第３のスクリプトと音声ファイルとをマルチメディアコンテンツとして携帯端末に配信することを特徴とするマルチメディアコンテンツ生成装置
【請求項２】
通信網に接続され、放送番組に関する番組紹介コンテンツを生成して携帯端末に配信する番組情報配信装置であって、
放送局が公開している番組情報提供サーバにアクセスして番組情報を取得する手段と、
取得した番組情報から、その中に含まれる情報コンテンツを抽出する手段と、抽出した情報コンテンツを携帯端末の画面表示に適合した画面表示用の番組紹介コンテンツに変換する手段と、
前記画面表示用の番組紹介コンテンツから、その中に含まれるテキスト情報を抽出する手段と、
抽出したテキスト情報を音声ファイルに変換する手段とを具え、
前記画面表示用の情報コンテンツと音声ファイルとをマルチメディアコンテンツとして携帯端末に配信することを特徴とする番組情報配信装置。
【請求項３】
請求項２に記載の番組情報配信装置において、当該番組情報配信装置は、前記マルチメディアコンテンツを、予め設定した時刻に又は予め設定した時間周期で待ち受け状態の携帯端末装置に配信し、前記画面表示用の情報コンテンツを携帯端末の表示画面上に表示させると共に、前記音声ファイルを再生させてテキスト情報を音声提示させることを特徴とする番組情報配信装置。
【請求項４】
請求項２に記載の番組情報配信装置において、当該番組情報配信装置は、携帯端末からの番組情報転送要求を受け取った際、当該番組情報転送要求に応じて、前記画面表示用の番組紹介コンテンツと音声ファイルを含むマルチメディアコンテンツを送信することを特徴とする番組情報配信装置。
【請求項５】
請求項２から４までのいずれか１項に記載の番組情報配信装置から配信されるマルチメディアコンテンツを閲覧する携帯端末であって、
前記番組情報配信装置にアクセスしてマルチメディアコンテンツを受信する手段と、受信したマルチメディアコンテンツから画面表示用の情報コンテンツを取り出して画面表示する手段と、音声ファイルを取り出して音声信号として出力する手段とを有することを特徴とする携帯端末装置。
【発明の詳細な説明】
【技術分野】
【０００１】
本発明はマルチメディアコンテンツ生成装置、特に放送番組情報を携帯端末にマルチメディアコンテンツとして送信することができるマルチメディアコンテンツ生成装置に関するものである。
また、本発明は、放送番組情報をマルチメディアコンテンツとして携帯端末に配信する番組情報配信装置及び携帯端末装置に関するものである。
【背景技術】
【０００２】
放送番組情報は時々刻々と変化する新鮮な情報である。従って、放送番組情報が多くの視聴者に提供されれば視聴者の利便性を一層高めることができる。このため、放送局では、インターネット上にウェブページ提供サーバを設け、パーソナルコンピュータ（PC）向けのホームページを公開している。従って、視聴者は、PCを介してホームページにアクセスすることにより放送予定の放送番組の内容、出演者や放送開始時刻等を知ることができる（例えば、「特許文献１」参照）。
【０００３】
一方、各種情報を入手する端末装置として携帯電話やPDA(Personal Digital Assistant)等の携帯端末が広く実用化されている。従って、携帯端末を介して各放送局の番組ホームページにアクセスして番組情報を閲覧することができれば、多くの視聴者の利便性を一層高めることができる。特に、携帯端末は各個人が身に着けて使用するものであるから、携帯端末を介して放送番組情報が提供されれば、多くの視聴者にとってテレビ番組を視聴する際の利便性が一層高められる。
【０００４】
【特許文献１】特開2003-87769号公報
【発明の開示】
【発明が解決しようとする課題】
【０００５】
携帯端末を用いてPC向けの番組案内提供サーバにアクセスし、放送番組のホームページを閲覧することも可能である。しかしながら、携帯電話の表示画面はPCの表示画面に比べてはるかに小さいため、テキストが読みづらかったり、キー操作が煩雑な課題が指摘されている。特に、高齢者にとっては視力が低下している場合が多いため、画面表示されたテキストが読みづらいことは大きな障害である。また、煩雑なキー操作を必要とすることも課題となっている。この場合、携帯端末向けのホームページをPC向けのホームページから独立して開設すれば、これらの問題を解消することができる。しかし、新たなホームページの制作には甚大な作業及び多大なコストを必要とし、大きな経済的な負担が発生する。
【０００６】
本発明の目的は、表示画面の小さい携帯端末に対しても、番組情報を的確に伝達できるマルチメディアコンテンツ生成装置を実現することにある。
本発明の別の目的は、高齢者等の視力の低下した視聴者や携帯端末の操作に習熟していない視聴者に対してフレンドリーに番組情報を伝達することができる番組情報提供サーバを実現することにある。
本発明の別の目的は、既存のPC用の番組ホームページを利用して携帯端末装置向けの情報コンテンツを提供できるマルチメディアコンテンツ生成装置及び番組提供サーバを提供することにある。
【課題を解決するための手段】
【０００７】
本発明によるマルチメディアコンテンツ生成装置は、通信網に接続され、携帯端末装置向けのマルチメディアコンテンツを生成するマルチメディアコンテンツ生成装置であって、
情報コンテンツ配信サーバにアクセスし、そのホームページを記述する第１のスクリプトを取得する手段と、
取得した第１のスクリプトから、その中に含まれる情報コンテンツを記述する第２のスクリプトを抽出する手段と、
前記第２のスクリプトを携帯端末の画面表示に適合した第３のスクリプトに変換する手段と、
前記第３のスクリプトに含まれるテキスト情報を抽出する手段と、
抽出したテキスト情報を音声ファイル化する手段とを具え、
前記第３のスクリプトと音声ファイルとをマルチメディアコンテンツとして携帯端末に配信することを特徴とする。
【０００８】
本発明によるマルチメディアコンテンツ生成装置は、情報コンテンツ配信サーバにアクセスして情報コンテンツを取得し、取得した情報コンテンツを携帯端末の画面表示に適合したスクリプトに変換しているので、新たに携帯端末向けのサーバを構築することなく、既存の情報配信サーバを利用して携帯端末向けに適合した情報コンテンツを配信することができる。特に、携帯端末向けに適合したスクリプトから、その中に含まれるテキスト情報を音声ファイルに変換し、音声ファイルと情報コンテンツとをマルチメディアコンテンツとして携帯端末に配信するので、画面表示と音声提示により各種の情報コンテンツが提示され、テキストが読みづらかったりキー操作が煩雑な課題が解消される。この結果、高齢者等の視力の低下した視聴者やキー操作に不慣れな者に対してフレンドリーに各種情報を提供することが可能になる。
【０００９】
本発明による番組情報配信サーバは、通信網に接続され、放送番組に関する番組情報コンテンツを生成して携帯端末に配信する番組情報配信装置（サーバ）であって、
放送局が視聴者向けに公開しているウェブページ提供サーバにアクセスして番組情報を取得する手段と、
取得した番組情報から、その中に含まれる情報コンテンツを抽出する手段と、抽出した情報コンテンツを携帯端末の画面表示に適合した画面表示用の番組紹介コンテンツに変換する手段と、
前記画面表示用の番組紹介コンテンツから、その中に含まれるテキスト情報を抽出する手段と、
抽出したテキスト情報を音声ファイルに変換する手段とを具え、
前記画面表示用の情報コンテンツと音声ファイルとをマルチメディアコンテンツとして携帯端末に配信することを特徴とする。
【００１０】
本発明による番組情報配信装置ないしサーバは、放送番組のハイライトシーンやテキストを含む画面表示に加えて、音声により番組情報を伝達するので、視覚及び聴覚の両方により番組情報を確認することができ、高齢者にとって一層優しい番組情報配信サーバを構築することができる。
【発明の効果】
【００１１】
本発明では、ユーザが希望する情報コンテンツを、画面表示用のスクリプトとテキスト情報を音声化した音声ファイルを含むマルチメディアコンテンツとして携帯端末に配信するので、ユーザの利便性を一層高めることができる。
【発明を実施するための最良の形態】
【００１２】
図１は本発明によるマルチメディアコンテンツ生成装置を用いる情報コンテンツ生成システムの一例を示す線図である。本例では、マルチメディアコンテンツ生成装置を放送番組に関する情報を提供する番組情報提供装置（サーバ）として用い、番組情報提供サーバから携帯電話やPDA等の携帯端末に番組情報を提供する例について説明する。インターネットやイーサネット（登録商標）等の通信ネットワーク１に本発明による番組情報提供サーバ（マルチメディアコンテンツ生成装置）２を接続する。ネットワーク１には、放送局が視聴者向けに番組案内情報を提供するウェブページ提供サーバであるＨＴＴＰサーバ３も接続する。さらに、ネットワーク１には、多数の携帯電話４ａ〜４ｎが接続されている。番組情報提供サーバ２は、ＨＴＴＰサーバ３にアクセスし、番組情報のホームページを取得し、取得した番組ホームページから携帯端末向けの番組情報コンテンツを作成し、作成した番組情報コンテンツを通信ネットワーク１を介して携帯電話４ａ〜４ｎに配信する。尚、本例では、番組情報提供サーバ２をネットワークを介してＨＴＴＰサーバ３に接続したが、ＨＴＴＰサーバに直接接続することができ、或いはＨＴＴＰサーバに組み込まれた装置として一体的に設けることも可能である。
【００１３】
番組情報提供サーバ２は、携帯電話の待ち受けアプリへプッシュ型又はプル型で番組情報コンテンツを送信することができる。例えば、予め携帯電話のユーザを番組情報提供サーバ２に登録し、登録されている携帯電話に対してサーバ２から定時的に番組情報を送信することができる。番組情報提供サーバ２から定時的に番組情報が提供されれば、テレビ番組を視聴する機会の多い高齢者にとってフレンドリーなシステムを構築することができる。また、携帯電話４から番組情報提供サーバ２に対してアクセスして番組情報の転送要求を行い、サーバ２は、転送要求に応じて番組情報を転送することもできる。この場合、携帯電話の待ち受けアプリが定時的に自動要求することも可能である。尚、ユーザのアドレスは、TCP/IPプロトコルを利用する場合、ポート番号とIPアドレスを用いることができる。
【００１４】
図２はマルチメディアコンテンツ生成装置の一例である番組情報提供サーバ２の構成を示す線図であり、図３は番組情報提供サーバの動作を説明するフローチャートである。番組情報提供サーバ２は、通信インタフェース１０を有し、当該通信インタフェース１０を介して携帯電話からのアクセスを受け付けると共に番組情報コンテンツを携帯電話に配信する。通信インタフェース１０の通信プロトコルとして、TCP/IPであってもよく、データリンク層、物理層インタフェースとしてイーサネット（登録商標）を利用することも可能である。
【００１５】
番組情報提供サーバ２は、ホームページ取得部１１を有する。このホームページ取得部１１は、通信インタフェース１０及び通信ネットワーク１を介してＨＴＴＰサーバ３にアクセスし、当該ＨＴＴＰサーバ３から提供される放送番組のホームページを記述したＨＴＭＬスクリプトを取得する。取得するタイミングは、例えば毎正時毎に定時的に取得してもよく、一定の時間間隔で取得してもよく、或いはウェブページ中の番組情報が更新された時点でも良い。
【００１６】
取得されたＨＴＭＬスクリプトは、スクリプト抽出部１２に供給される。このスクリプト抽出部１２は、番組ホームページを記述したＨＴＭＬスクリプトから個々の放送番組のコンテンツを記述するＨＴＭＬスクリプトを抽出する手段である。尚、抽出方法の一例として、予めＨＴＭＬデータのコメント文に、抽出されるスクリプトの前後に例えば「番組情報開始」及び「番組情報終了」というワードを記述しておくことにより、これら2つのワードで挟まれたスクリプトを抽出することができる。抽出されるスクリプトには、放送番組の画像情報及びテキスト情報が含まれる。
【００１７】
スクリプト抽出部１２により抽出された抽出スクリプトは、テキスト抽出部１３に供給され、抽出スクリプトからテキスト情報を抽出する。具体的には、画像とテキストとで構成される番組情報のコンテンツからテキストのみを抽出する処理が行われる。抽出されるテキストは、BS1 やBS2といったチャンネル名、番組名、放送開始時刻と終了時刻、番組のあらすじや見どころ、出演者名が含まれる。 
【００１８】
抽出されたテキスト情報は、抽出したテキストを音声ファイルに変換する音声ファイル生成部１４に送られる。この音声ファイル生成部１４は、テキストに含まれる漢字、ひらがな、カタカナ、及び英語を音声変換してファイル化する。音声ファイルのフォーマットは端末装置で再生するフォーマットに対応できればよく、例えば一般的なフォーマットとしてwavファイルに変換することができる。
【００１９】
スクリプト抽出部１２において抽出された放送番組のスクリプトはスクリプト再構成部１５に供給する。このスクリプト再構成部１５は、スクリプト抽出部１２により抽出された個々の番組の番組情報コンテンツを携帯電話の表示フォーマットに対応する画面構成を記述したスクリプトに再構成する。再構成する際、音声ファイルを再生するためのスクリプトも挿入する。音声ファイルを再生するためのスクリプトが挿入されたスクリプトの一例を図４に示す。
【００２０】
再構成したスクリプト及び生成された音声ファイルはコンテンツ提供部１６に送出する。コンテンツ提供部１６は、再構成したスクリプトと音声ファイルとを通信インタフェース１０を介して携帯電話に配信する処理を行う。
【００２１】
当該サーバは記憶部１７を有し、ホームページ取得部で取得したＨＴＭＬスクリプト、スクリプト抽出部で抽出された抽出スクリプト、テキスト抽出部で抽出したテキスト情報、音声ファイル生成部で生成された音声ファイル、及びスクリプト再構成部で再構成したスクリプトを記憶する。
【００２２】
次に、本発明による情報配信システムに用いられる携帯端末について説明する。図５は携帯電話４の一例を示す線図であり、図6は携帯電話の動作を示すフローチャートである。尚、当該携帯電話は、通常の携帯電話としての機能に加えて図５に示す機能ないし手段を有する携帯電話４は通信インタフェース２０を有し、通信インタフェースを介して通信ネットワーク１に接続される。この通信インタフェース２０の通信プロトコルは、TCP/IPとすることができ、データリンク層、物理層インタフェースとしてPPP/IPCP, PDC (Primary Domain Controller)を採用することもできる。
【００２３】
マルチメディアコンテンツ生成装置から配信されてくる情報コンテンツは、コンテンツ取得部２１により取得される。取得されたマルチメディアコンテンツは、コンテンツ取得部２１において画面表示用の情報コンテンツを記述したスクリプトと音声ファイルとが分離され、画面表示用の情報コンテンツを記述したスクリプトは画面表示処理部２２に送出され、音声ファイルは音声ファイル再生部２３に送出する。
【００２４】
画面表示処理部２２は、画面表示用のスクリプトに基づいて画面表示用の情報コンテンツを処理して表示画面２４に供給する。具体的には、番組紹介の画像及びテキストを表示処理する。この画面表示処理部２２は、一般的なウェブブラウザであっても良く、専用の閲覧プログラムを駆動させても良い。
【００２５】
音声ファイル再生部２３は、音声ファイルを再生させるスクリプトに基づいて音声ファイルを読み込み、スピーカ２５により音声情報を再生させる。具体例として、wavファイルを展開し、スピーカー２５を通じて音声による番組紹介を行う。一例として、受信した音声ファイルを、APIを介して、内蔵されているシンセサイザー部に受け渡しスピーカーで再生する。この際、以下のサンプルプログラムで音声データを再生を開始する。
＜サンプルソース＞
携帯電話のスクラッチパッド上にある引数に与えられたoffsetナンバーのサウンドデータを再生するメソッド
void getSoundFromScrachpad(into offset){
AudioPresenter ap;
try{
ap＝AudioPresenter.get AudioPresenter();
MediaSound ms＝MediaManager.getSound(“scrachpad:///0;pos＝”＋offset);
ms.use();
ap.play();
}catch(Exeption e){
System.err.println(e.toString()＋”\n”);
}
}
参考例として、画面表示と音声提示の一例を図７に示す。
【００２６】
本発明は上述した実施例だけに限定されず種々の変形へ変更が可能である。例えば、上述した実施例では、マルチメディアコンテンツ生成装置として、放送局のホームページから番組情報を取得して番組情報を提供する番組情報提供サーバとして説明したが、種々の情報コンテンツ配信サーバにアクセスして携帯端末向けのマルチメディアコンテンツを生成する装置にも適用することができる。また、ホームページの運営主体や情報の種類を問わず本発明を適用することができる。
また、コンテンツを記述するスクリプトの形式としてＨＴＭＬを例に説明したが、ＨＴＭＬに限定されずＸＭＬ形式でも良い。また、データ放送コンテンツを被抽出対象のソースコンテンツとする場合にはBMLであっても良い。BMLについては、地上デジタル放送受信機能を有する端末装置で利用することができる。
さらに、携帯端末としては、携帯電話やPDA（Personal Digital Assistant）やカーナビ等にも利用でき、その種類は問わない。
【図面の簡単な説明】
【００２７】
【図１】本発明による情報コンテンツ生成システムの一例を示す線図である。
【図２】番組情報提供サーバの一例を示す線図である。
【図３】番組情報提供サーバの動作を説明するためのフローチャートである。
【図４】音声ファイルを再生するためのスクリプト例を示す線図である。
【図５】本発明による携帯電話の一例を示す線図である。
【図６】携帯電話の処理動作を示すフローチャートである。
【図７】画面表示と音声提示の一例を示す図である。
【符号の説明】
【００２８】
１  通信ネットワーク
２  マルチメディアコンテンツ生成装置
３  ＨＴＴＰサーバ
４ａ〜４ｎ  携帯電話
１０  通信インタフェース
１１  ホームページ取得部
１２  スクリプト抽出部
１３  テキスト抽出部
１４  音声ファイル生成部
１５  スクリプト再構成部
１６  コンテンツ提供部
１７  記憶部
２０  通信インタフェース
２１  コンテンツ取得部
２２  画面表示取得部
２３  音声ファイル再生部
２４  表示画面
２５  スピーカー
２６  記憶部
【図１】
2007081765.tif 000003
【図２】
2007081765.tif 000004
【図３】
2007081765.tif 000005
【図４】
2007081765.tif 000006
【図５】
2007081765.tif 000007
【図６】
2007081765.tif 000008
【図７】
2007081765.tif 000009